(57)【特許請求の範囲】
【請求項１】
育成装置、照明装置及び空調装置を備えた閉鎖空間においてキュウリ又はカボチャを栽培する栽培方法において、
発芽から少なくとも７２時間（ただし２１６時間以下）の栽培期間を、
２４時間明期の条件とし、
前記照明装置の照度を１５００〜９５００ｌｘとし、
すべての前記空調装置の合計の冷房能力（Ｗｂ）とすべての前記照明装置の合計の消費電力（Ｗａ）との比Ｗｂ／Ｗａを１以上５以下とすることを特徴とする植物の栽培方法。
【請求項２】
前記閉鎖空間内の環境温度を１０〜３０℃とすることを特徴とする請求項１に記載の植物の栽培方法。
【請求項３】
前記栽培期間における前記照明装置の照度を４０００〜９５００ｌｘとし、
前記閉鎖空間内の環境温度を１８〜３０℃とし、
前記Ｗｂ／Ｗａを１〜２とすることを特徴とする請求項１又は２に記載の植物の栽培方法。
【請求項４】
前記育成装置は、各育苗棚の上側に育苗スペースＳを有する多段棚式植物育成装置であって、
該育苗スペースＳを流れる空気の流速を０．１ｍ／ｓｅｃ以上とすることを特徴とする請求項１〜３のいずれか１項に記載の植物の栽培方法。
【発明の詳細な説明】
【技術分野】
【０００１】
本発明は、植物を栽培するための栽培装置及び栽培方法に関する。
【背景技術】
【０００２】
従来、果菜類や葉菜類などの栽培方法として、植物工場による栽培が広く普及している（例えば、特開２０１４−２３３２３１号公報）。この植物工場においては、現在、様々な方法で栽培が行なわれている。国際公開ＷＯ２００５／０００００５号公報、特開２０１４−８２９７９号公報には、人工照明を使用し明期と暗期を調整し、その他養液、炭酸ガスなどを調整して高品質で均一な苗を生産する方法が開示されている。
【０００３】
これら従来技術のように、植物工場における栽培においては、人工照明を用いた栽培においても、光を照射する期間である明期と、光を照射しない期間である暗期を調整して栽培を行う。これは、光合成をはじめ様々な生理現象を明確な概日リズムで栽培することで、品質の良い植物を安定して栽培するためである。
【０００４】
一方では、栽培期間を短縮し、効率良く栽培するため、光照射する時間、すなわち明期を長くして栽培する方法も行われている。しかし、栽培する植物の暗期が過度に短くなると、葉が黄化したり、草姿に異常が生じるなどの生育障害が発生したりするなど、植物の品質価値が低下するおそれがある。
【０００５】
また、閉鎖された空間において、明期と暗期の切り替えに伴って閉鎖空間内の温度、湿度が変動する。この変動を抑制して閉鎖空間内の環境を一定に制御するための設備が複雑になり、設備費用が高価となる。即ち、明期と暗期、それぞれの時間帯を最適な温度と湿度に制御するためには、それぞれの時間帯の空調負荷に応じた空調設計が必要であり、明期と暗期を設けることにより、一定の制御をするよりも設備が複雑になり設備費用が高価になる。
【先行技術文献】
【特許文献】
【０００６】
【特許文献１】特開２０１４−２３３２３１号公報
【特許文献２】国際公開ＷＯ２００５／０００００５号公報
【特許文献３】特開２０１４−８２９７９号公報
【発明の概要】
【発明が解決しようとする課題】
【０００７】
本発明は、上記の問題を解決し、品質の良い植物を安定して低コストで効率よく生産することができる栽培装置及び栽培方法を提供することを目的とする。
【課題を解決するための手段】
【０００８】
本発明の栽培装置は、育成装置、照明装置及び空調装置を備えた閉鎖空間で植物を栽培する栽培装置において、発芽から少なくとも７２時間の栽培期間を、２４時間明期の条件とし、前記照明装置の照度は、５００〜１５０００ｌｘで栽培することを特徴とするものである。
【０００９】
本発明では、すべての前記空調装置の合計の冷房能力（Ｗｂ）とすべての前記照明装置の合計の消費電力（Ｗａ）との比Ｗｂ／Ｗａが１以上５以下であることが好ましい。前記閉鎖空間内の環境温度は、１０〜３０℃であることが好ましい。
【００１０】
本発明の栽培方法は、本発明の栽培装置を使用して植物を栽培するものである。
【００１１】
本発明の栽培方法は、ウリ科の植物を栽培するのに好適である。
【発明の効果】
【００１２】
本発明の栽培装置及び栽培方法では、発芽から少なくとも７２時間の栽培期間を２４時間明期とすることにより、栽培する植物を効率よく育成することができる。なお、この明期の照度を５００〜１５０００ｌｘと低くすることにより、２４時間連続照明下における植物の成育障害の発生を抑制することができる。
【００１３】
本発明では、発芽から少なくとも７２時間の期間、２４時間明期栽培とするので、この栽培期間に暗期と明期との切り替えがなく、それに伴う環境変化もより少なくすることができる。また、閉鎖空間内で栽培を行うには、特に暗期の状態における温度や湿度の制御が難しくコストもかかってしまうが、本発明では暗期の状態が必要ないため、閉鎖空間内の温度や湿度の制御を行うための設備費用や、制御するコストを低くすることができる。
【図面の簡単な説明】
【００１４】
【図１】実施の形態に係る栽培装置の平面図である。
【図２】図１のII−II線断面図である。
【図３】多段棚式植物育成装置の正面図である。
【図４】図３のIV−IV線断面図である。
【図５】実施の形態に係る多段棚式植物育成装置のトレイの平面図である。
【図６】図５のトレイの斜視図である。
【図７】図５のVII−VII線断面図である。
【図８】別の実施の形態に係る多段棚式植物育成装置のトレイの断面図である。
【発明を実施するための形態】
【００１５】
図１〜８を参照して、本発明の好ましい形態を説明する。図１〜７は第１の好ましい形態に係る栽培装置を示すものであり、図１，２の通り、断熱性壁面で囲まれた完全遮光性とされた閉鎖型建物構造物１の部屋内に、箱形の複数個（図示の例では４個）の多段棚式植物育成装置３、４、５、６が設置されている。この実施の形態では、植物育成装置は育苗装置である。
【００１６】
図１では、２個の多段棚式植物育成装置３、４をそれらの開放前面が同方向を向くように配列して１列とし、２個の多段棚式植物育成装置５、６もそれらの開放前面が同方向を向くように配列して１列とし、開放前面が互いに対面するように二つの列を部屋内に配置している。また、これら二つの列の間に、一人または複数の作業者が作業できる程度の作業空間を設けてある。部屋の壁面と各多段棚式植物育成装置３〜６の背面との間に、５０〜５００ｍｍ程度の幅の空間を設けて、多段棚式植物育成装置３〜６を通過した空気の通路を形成する。
【００１７】
部屋に出入りするためのドア２の内側にエアーカーテンを設置すると、作業者が出入りする際に外気が入らないようにできるので好ましい。
【００１８】
部屋の壁面の上部には、部屋内の空気を調温調湿し、設定条件に調温調湿した空気を循
環させる機能を備えた空調装置７〜１０が設置されている。
【００１９】
多段棚式植物育成装置３〜６は、図３，４に示すように、それぞれ台座３ｃ、左右の側面パネル３ａ、背面の背面パネル３ｂ及び天頂部のトップパネル３ｅを有し、前面は開放した箱形構造体を備えている。この箱形構造体の内部に、複数の育苗棚１２が上下方向に一定間隔で多段に配置されている。最下段の育苗棚１２は、台座３ｃ上に載置されている。最下段以外の各育苗棚１２はそれぞれ支持板１１（図７）上に設置されている。各支持板１１は、左右の側面パネル３ａ，３ａ間に水平に架設されている。
【００２０】
各多段棚式植物育成装置３〜６の高さは、作業者が作業できる程度の高さである２０００ｍｍ程度とし、育苗棚１２の左右方向幅は、数十から数百個のセル（小鉢）を格子状に配列させた樹脂製のセルトレイを複数枚並べて載置できるとともに、各育苗棚１２の上側のスペースＳの温度・湿度を一定に調節できる幅、例えば１０００ｍｍ〜２０００ｍｍ程度とし、育苗棚１２の奥行き長さは５００ｍｍ〜１０００ｍｍとするのが好ましい。各育苗棚１２には複数枚のセルトレイ４０（図１，７参照）がほぼ水平に載置されている。セルトレイ１枚の寸法は、一般的には左右幅が３００ｍｍ、奥行き長さが６００ｍｍ程度である。
【００２１】
台座３ｃに設けたアジャスター（図示略）によって各育苗棚１２の水平度を調整できるよう構成されている。各育苗棚１２には、後述する潅水装置３０が設けられている。
【００２２】
下から２段目以上の各育苗棚１２の下側及びトップパネル３ｅの下面には、人工照明器１３が設置され、各人工照明器１３の直下の育苗棚１２のセルトレイ４０で生育する植物に光を照射するよう構成されている。この実施の形態では、最上部の人工照明器１３はトップパネル３ｅに取り付けられている。人工照明器１３は、左右の側面パネル３ａ、３ａにフックを設け、該左右のフックに人工照明器１３を載せ設置されている。支持板１１と人工照明器１３との間に間隙があいている。
【００２３】
人工照明器１３の発光体としては蛍光灯、ＬＥＤ等が好ましいが、この実施の形態では光源として直管状の蛍光灯１３ｃが用いられている。図７の通り、この実施の形態では、各人工照明器１３のボックス１３ａの下面に直管状蛍光灯１３ｃが２本設けられているが、蛍光灯の本数はこれに限定されない。
【００２４】
ボックス１３ａは、天板１３ｄ及び底板１３ｅを有した箱状体であり、底板１３ｅは蛍光灯１３ｃの光を反射する反射板を兼ねている。安定器、インバータ、定電流回路、定電圧回路、電流制限抵抗等の電気回路部材１３ｆを内蔵した電源ユニット１３ｇが天板１３ｄの下面に取付けられている。
【００２５】
図４の通り、各育苗棚１２同士の間、及び最上段の育苗棚１２と天板パネル３ｅとの間のスペース（育苗スペース）Ｓの後方の背面パネル３ｂに通気口１５ａが設けられ、各通気口１５ａにそれぞれ空気ファン１５が取り付けられている。空気ファン１５を稼働させることにより、部屋内に図２の矢印で示したような空気の循環流が生じる。すなわち、空調装置７〜１０によって調温調湿された空気は、多段棚式植物育成装置３〜６の開放前面側より育苗棚１２各段の育苗スペースＳ内に吸引され、通気口１５ａから背面パネル３ｂの後方へ排出され、背面パネル３ｂと閉鎖型建物構造物１の壁面との間を通って上昇し、空調装置７〜１０に吸い込まれ、調温調湿されたのち、再び多段棚式植物育成装置３〜６の上側を通って開放前面側に吹き出される。
【００２６】
図１，２のように、２列の多段棚式植物育成装置３、４と多段棚式植物育成装置５、６をそれらの間に作業空間が形成されるように配列した場合には、この作業空間が空気の循環路としても機能し、効果的な循環流が形成される。
【００２７】
循環流が多段棚式植物育成装置３〜６の各育苗スペースＳを通過する際に、潅水装置、培地、植物などから蒸発した水蒸気や人工照明器１３から放出される熱が循環流に同伴され、この循環流を空調装置７〜１０によって調温調湿して絶えず循環させることによって、部屋内を植物体生育に最適な温度湿度環境に保つことができる。育苗スペースＳを流れる空気の流速は、０．１ｍ／ｓｅｃ以上であることが好ましく、０．２ｍ／ｓｅｃ以上であることがより好ましく、０．３ｍ／ｓｅｃ以上が更に好ましい。気流の速度が速すぎると、植物の育成に問題が生じるおそれがあるため、一般的には２．０ｍ／ｓｅｃ以下であることが好ましい。
【００２８】
この実施の形態では、気流を育苗スペースＳの前面からファン１５を経て多段棚式植物育成装置３〜６の背面側へ流しているが、逆に多段棚式植物育成装置３〜６の背面側から前面側へ流してもよい。ただし、前面側から背面側へ流す方が、育苗スペースＳにおける気流が均一になるので好ましい。
【００２９】
この実施の形態では、潅水装置（底面潅水装置）３０は、支持板１１上に載置された潅水トレイ３１を有する。そして、該潅水トレイ３１に載置されたセルトレイ４０の底面から潅水を行うよう構成されている。この潅水装置３０の構成例を図５〜７を参照して説明する。なお、図５は潅水装置の平面図、図６は斜視図、図７は図５のVII−VII線断面図である。
【００３０】
この潅水トイレ３１は、平面形状が四角形の底版３１ｄを有している。底版３１ｄの後辺及び左右両側辺に側壁３１ａ、３１ｂ、３１ｃが立設されている。潅水トレイ３１の前辺には堰３４が設けられている。底版３１ｄの該前辺に沿って、底版３１ｄに連接して排水溝３２が設けられており、排水溝３２の一端には排水口３２ａ（図５，６）が形成されている。堰３４は、排水溝３２と底版３１ｄの上面側を仕切るように設けられている。堰３４の両端部は側壁３１ｂ，３１ｃから離隔しており、両者の間に切欠部３４ａ（図５，６）が形成されている。各切欠部３４ａから底版３１ｄ上の養液が排水溝３２に流出するよう構成されている。また、潅水トレイ３１の後辺の側壁３１ａに沿って、養液を潅水トレイ３１内に供給する給水管３３が設けられており、給水管３３に設けた複数の小孔３３ａ（図６）から養液が底版３１ｄ上に供給されるようになっている。
【００３１】
底版３１ｄの上面に高さ約７ｍｍ程度の複数のリブ３５が、側壁３１ａ側から排水溝３２に向って互いに平行に延設されており、これらのリブ３５の上にセルトレイ４０が載置されるようになっている。
【００３２】
この潅水装置３０は、図４の通り、潅水トレイ３１を支持板１１上に載置したときに、排水溝３２が多段棚式植物育成装置３〜６の開放前面から突出する寸法とされている。排水溝３２を多段棚式植物育成装置３〜６の開放前面から突出させることにより、排水溝３２の排水口３２ａから排出される養液を集めて建物構造物１外部へ排出しやすくなる。
【００３３】
潅水装置３０の給水管３３に設けた小孔３３ａから養液を連続的に供給すると、養液は堰３４によって堰き止められて所定水位まで溜まりプール状態となる。給水管３３から養液を供給している間、切欠部３４ａから養液が少しずつ排水溝３２へ流出する。養液供給量と切欠部３４ａからの流出量を調節することによって、潅水トレイ３１内に例えば１０〜１２ｍｍ程度の水位のプール状態が維持されるようにするのが好ましい。リブ３５の上に載置されているセルトレイ４０の各セル４１底面に形成されたセル穴４２（図７）からセル４１内の培地へ毛管作用により水が吸い上げられ、短時間ですべてのセル４１内の培地が水分飽和状態になる。
【００３４】
なお、この潅水装置３０では、図７の通り、潅水トレイ３１の底版３１ｄの上面を排水溝３２の方向へ傾斜させている。これにより、潅水停止時に養液を排水溝３２へ短時間で排出させることができる。また、底版３１ｄの上面に傾斜をもたせた場合には、リブ３５の高さを変化させてリブの頂部３５ａが水平となるようにすることにより、リブ３５の上に載置したセルトレイ４０を水平に保持できる。
【００３５】
図８は、本発明で用いる潅水装置の別例を示すものであり、図５〜図７における部材と同じ部材には、同じ符号を付してある。この潅水装置３０’においては、潅水トレイ底版３１ｄにセルトレイ４０を載置する際に、潅水トレイ底版３１ｄとセルトレイ４０との間にアンダートレイ５０を介在させる。このアンダートレイ５０は各セル４１内に培地を入れたセルトレイ４０を支持し得る程度の剛性を備えており、その底壁面には複数の小孔５１が形成されているとともに、その裏面には複数の突起５２が形成されている。これらの突起５２は、セルトレイ４０をアンダートレイ５０とともに潅水トレイ内に収容するときに、潅水トレイ底版３１ｄとセルトレイ４０底面との間に間隙を保持する間隙保持手段として機能する。
【００３６】
図８の潅水装置３０’においても、給水管３３から養液を供給して所定水位のプール状態となった場合には、アンダートレイ５０の小孔５１からアンダートレイ５０内に養液が導かれ、セルトレイ４０の各セル４１底面に形成されたセル穴４２からセル内の培地へ毛管作用により水が吸い上げられる。
【００３７】
なお、図８においても、左右の側面パネル３ａ、３ａにフックを設け、該左右のフックに人工照明器１３を載せることにより人工照明器１３が設置されており、支持板１１と人工照明器１３との間に間隙があいている。
【００３８】
潅水トレイ３１に載置されるセルトレイ４０は、前述したように、数十から数百のセル４１を格子状に配列させてトレイ形状に一体化したものであり、セルトレイ１枚の寸法は幅が３００ｍｍ、長さが６００ｍｍ前後とされているが、これに限定されない。
【００３９】
苗が光合成で消費する炭酸ガスを人為的に供給するために、図１に示すように、閉鎖型建物構造物１の外部に液化炭酸ガスボンベ１６を設置し、炭酸ガス濃度計測装置（図示略）により計測した部屋内の炭酸ガス濃度が一定濃度となるように、炭酸ガスボンベ１６から炭酸ガスを供給する。
【００４０】
上記の栽培装置は本発明の一例であり、本発明はこれに限定されるものではない。例えば、部屋の大きさや、多段棚式植物育成装置の設置数は前記以外であってもよい。また、空調装置は天井に設置されてもよい。
【００４１】
本発明では、このように構成された栽培装置で、発芽から少なくとも７２時間の栽培期間、２４時間明期の条件で植物を栽培する。明期栽培期間は、７２時間以上、特に９６時間以上とすることが好ましく、また２１６時間以下、特に１６８時間以下、とりわけ１４４時間以下とすることが好ましい。
【００４２】
播種から発芽までの期間は、栽培する植物の品種や、生育温度などの環境により異なるが、多くの植物はおおよそ４８時間から７２時間程度で発芽する。本発明は、少なくとも発芽から２４時間明期とすることが重要であり、播種から発芽までの期間は、明期また暗期の条件を特に限定することはない。
【００４３】
照明装置（この実施の形態では蛍光灯１３ｃ）の照度は、５００ｌｘ以上であることが重要であり、１５００ｌｘ以上であることが好ましく、３０００ｌｘ以上であることがより好ましく、４０００ｌｘ以上であることが更に好ましい。また、照明装置の照度は１５０００ｌｘ以下であることが重要であり、１４０００ｌｘ以下であることが好ましく、１２０００ｌｘ以下であることがより好ましく、９５００ｌｘ以下であることが更に好ましい。なお、本発明において、照度とは、栽培している植物の栽培面上で、栽培する棚の中心部、端部付近、中心部と端部の中間地点の５箇所を測定した平均値のことをいう。照明装置の照度を上記とすることで、２４時間明期で栽培した場合においても、葉の黄化などの生育障害の発生を抑制することができ、栽培する植物の生育条件をより好ましいものとすることができる。前述の通り、照明装置は、蛍光灯に限定されるものではなく、ＬＥＤなどの照明装置も利用することができる。
【００４４】
本発明では、閉鎖空間内の炭酸ガス濃度を３００〜３０００ｐｐｍとすることが好ましく、５００〜２０００ｐｐｍとすることがより好ましく、７００〜２０００ｐｐｍとすることが更に好ましく、８００〜１５００ｐｐｍとすることが特に好ましい。炭酸ガス濃度を上記範囲とすることにより、光合成による炭酸ガス固定能の低下を抑制することができ、エネルギー源（糖類）の合成が減少することなく、生育に必要なエネルギーを生成することができる。
【００４５】
閉鎖空間の環境温度は１０〜３０℃であることが好ましく、１５〜３０℃であることがより好ましく、１８〜３０℃であることが更に好ましい。
【００４６】
発芽から少なくとも７２時間の栽培期間を２４時間明期とし、上記条件で栽培することにより、植物を効率よく育成することができ、また、この栽培期間の後、圃場に移して栽培する場合にも、葉の黄化や草姿の形態異常などの生育障害などの問題が発生することを抑制することができる。
【００４７】
本発明では、すべての空調装置１５の合計の冷房能力（Ｗｂ）とすべての照明装置（上記実施の形態では蛍光灯１３ｃ）の合計の消費電力（Ｗａ）との比Ｗｂ／Ｗａが１以上５以下であることが好ましく、１以上４以下であることがより好ましく、１以上３以下であることが更に好ましく、１以上２以下であることが特に好ましい。Ｗｂ／Ｗａを上記の範囲とすることで、閉鎖空間内の環境を適正かつ一定に保つことが可能となり、さらに、空調のオンオフによる環境変化もより少なくすることが可能となる。蛍光灯などの照明装置１本当りの消費電力をＷｓとし、照明装置の本数をｎとし、１基の空調装置の冷房能力をＷｋとし、空調装置の設置台数をｍとした場合、Ｗｂ／Ｗａは下記式のＡで表わされる。
Ａ＝Ｗｂ／Ｗａ
＝（Ｗｋ×ｍ）／（Ｗｓ×ｎ）
ｍ：空調装置の台数（基）
ｎ：照明装置の本数（本）
【００４８】
上記実施の形態では、潅水装置が設けられているが、省略されてもよい。本発明において、発芽から少なくとも７２時間の栽培期間は、養液または真水を与えず栽培しても良く、一定の割合で養液または真水を与えても良い。栽培する植物の種類や時期により、本発明で栽培した幼苗を圃場に移して栽培する栽培条件に応じて、養液や真水の供給を適宜設定することができる。
【００４９】
本発明の栽培装置で栽培する植物は、特に限定されることはないが、本発明はウリ科の植物を栽培するのにより好ましく適する。さらに、接ぎ木苗や穂木の台木用として栽培する方法として好ましく使用することができる。
【００５０】
本発明において、明期とは、照明装置を実質的に２４時間（／日）点灯させて栽培することを意味するが、照明装置は２４時間にわたって連続して点灯している必要はなく、照明装置を一時的に消灯してもよい。すなわち、本発明の効果を奏する範囲内で照明を一時的に消すことは２４時間明期であることに含まれる。
【００５１】
植物工場においては、設備費用や維持費用を安価にすることは非常に重要であり、本発明は、植物の栽培に悪影響を与えることなく、かつ完全閉鎖型の栽培設備でありながら費用を安価とすることを可能とするものである。
【実施例】
【００５２】
以下、実施例及び比較例について説明する。以下の実施例及び比較例では、図１〜７に示す構造を有した栽培装置を用いて作物を栽培し、作物の生育状態を以下の基準で評価し、結果を表１に示した。
○：良
×：生育異常あり（葉の黄変、展葉異常、形態異常等）
【００５３】
＜実施例１＞
閉鎖型建物構造物１内の完全閉鎖された空間内に５段３棚の多段棚式植物育成装置３を２基設置した。蛍光灯は出力４５Ｗのものを各棚に２本ずつ、合計６０本設置した。空調装置としては、冷房能力５．０ｋＷのものを１台設置した。Ａ値（Ｗｂ／Ｗａの値）は１．８である。
【００５４】
各育苗棚１２にセルトレイ４０（２００孔）を設置し、キュウリを播種した。播種した後７２時間は、２９℃の暗黒湿潤条件で発芽させた。発芽から１２０時間の間潅水を１日１回行い、照度８５００ｌｘ、２４時間明期、炭酸ガス濃度１０００ｐｐｍ、環境温度２８℃、湿度６０〜８０％の条件で、キュウリを栽培した。
【００５５】
＜実施例２＞
カボチャを実施例１と同様の条件で栽培した。
【００５６】
＜実施例３＞
各棚に蛍光灯（４５Ｗ）を１本ずつ設置することにより照度を４５００ｌｘとし、Ａ値を２．６としたこと以外は、実施例１と同様の条件でキュウリを栽培した。
【００５７】
＜実施例４＞
各棚に蛍光灯（４５Ｗ）を１本ずつ設置することにより照度を４５００ｌｘとし、Ａ値を２．６としたこと以外は、実施例１と同様の条件でカボチャを栽培した。
【００５８】
＜比較例１＞
各棚に蛍光灯（４５Ｗ）を４本ずつ設置することにより照度を１７０００ｌｘとしたこと以外は、実施例１と同様の条件でキュウリを栽培した。
【００５９】
＜比較例２＞
各棚に蛍光灯（４５Ｗ）を４本ずつ設置することにより照度を１７０００ｌｘとしたこと以外は、実施例１と同様の条件でカボチャを栽培した。
【００６０】
＜比較例３＞
各棚に蛍光灯（４５Ｗ）を６本ずつ設置することにより照度を２６０００ｌｘとし、Ａ値を１．７としたこと以外は、実施例１と同様の条件でキュウリを栽培した。
【００６１】
＜比較例４＞
各棚に蛍光灯（４５Ｗ）を６本ずつ設置することにより照度を２６０００ｌｘとし、Ａ値を１．７としたこと以外は、実施例２と同様の条件でカボチャを栽培した。
【００６２】
＜比較例５＞
各棚に蛍光灯（４５Ｗ）を６本ずつ設置することにより照度を２６０００ｌｘとし、Ａ値を１．７としたこと以外は、実施例１と同様の条件でトマトを栽培した。
【００６３】
＜比較例６＞
各棚に蛍光灯（４５Ｗ）を６本ずつ設置することにより照度を２６０００ｌｘとし、Ａ値を１．７とし、播種した後７２時間は、２９℃の暗黒湿潤条件で発芽させた。発芽から１６８時間２４時間明期にて栽培したこと以外は、実施例１と同様の条件でチンゲンサイを栽培した。
【００６４】
【表１】
0006676898.tif 000002
【００６５】
表１の通り、実施例１〜４によると、十分に生育した作物（キュウリ、カボチャ）を栽培することができる。なお、比較例１，３では、子葉が丸まるという展葉異常が発生した。比較例２，４，６では、葉の黄変が生じた。比較例５では、胚軸が曲がってしまい、真直ぐに伸びないという形態異常が発生した。
【符号の説明】
【００６６】
１  閉鎖型建物構造物
３，４，５，６  多段棚式植物育成装置
３ａ  側面パネル
３ｂ  背面パネル
３ｃ  台座
３ｅ  トップパネル
７〜１０  空調装置
１１  支持板
１２  育苗棚
１３  人工照明器
１３ａ  ボックス
１３ｂ  ソケット
１３ｃ  蛍光灯
１３ｄ  天板
１３ｅ  底板
１３ｆ  電気回路部材
１３ｇ  電源ユニット
１５  空気ファン
１６  炭酸ガスボンベ
３０，３０’  潅水装置
３１  潅水トレイ
３１ｄ  底版
３２  排水溝
３２ａ  排水口
３３  給水管
３３ａ  小孔
３４  堰
３４ａ  切欠部
３５  リブ
４０  セルトレイ
４１  セル
４２  セル穴
５０  アンダートレイ
５１  小孔
５２  突起
【図１】
0006676898.tif 000003
【図２】
0006676898.tif 000004
【図３】
0006676898.tif 000005
【図４】
0006676898.tif 000006
【図５】
0006676898.tif 000007
【図６】
0006676898.tif 000008
【図７】
0006676898.tif 000009
【図８】
0006676898.tif 000010